(57)【要約】【課題】圧縮機運転ＯＮ、ＯＦＦ時に発生する振動を吸収して貯蔵物による振動音を低減し信頼性の高い冷蔵庫を提供する。【解決手段】内部に貯蔵室を有する冷蔵庫本体１と、この冷蔵庫本体の底部に設けた脚支持体３と、この脚支持体３に脚本体７のボルト８をねじ込んで取り付けた高さ調節脚６とを備え、上記高さ調節脚６はその脚本体をゴム製樹脂で形成するとともに当該脚本体７の床接触面側を摺動性良好なフィルムで覆った構成としてある。これによって、圧縮機運転ＯＮ、ＯＦＦ時に発生する振動は脚本体７によって吸収されるとともに、脚本体７の床接触面側に設けてある摺動性良好なフィルム１０によってゴム材料特有の移行による脚本体７の床面９への固着が防止でき、信頼性の高い冷蔵庫となる。【選択図】図２
2013083409.tif 000002
【特許請求の範囲】
【請求項１】
内部に貯蔵室を有する冷蔵庫本体と、この冷蔵庫本体の底部に設けた脚支持体と、この脚支持体に脚本体のボルトをねじ込んで取り付けた高さ調節脚とを備え、上記高さ調節脚はその脚本体をゴム製樹脂で形成するとともに当該脚本体の床接触面側を摺動性良好なフィルムで覆った構成としてある冷蔵庫。
【請求項２】
脚本体のゴム製樹脂はＥＰＤＭ、摺動性良好なフィルムはＰＥＴまたはナイロンで形成した請求項１記載の冷蔵庫。
【請求項３】
脚本体のＥＰＤＭはその硬度を６５°〜７５°に設定した請求項２記載の冷蔵庫。
【請求項４】
脚本体のフィルムは脚本体成形時に同時に一体化した請求項１〜３のいずれか１項記載の冷蔵庫。
【請求項５】
冷蔵庫本体はその上後部に圧縮機を積載して圧縮機上後部積載型とした請求項１〜４のいずれか１項記載の冷蔵庫。
【発明の詳細な説明】
【技術分野】
【０００１】
本発明は冷蔵庫に関するもので、特にその高さ調節脚の改良に関するものである。
【背景技術】
【０００２】
一般に、冷蔵庫はその底部に移動用のローラと高さ調節脚を備えており、冷蔵庫搬入時等には冷蔵庫本体を傾け、ローラを利用して所定の設置位置まで移動させ、その位置で高さ調節脚の高さを調節して冷蔵庫本体を左右水平に調節し、その位置で設置固定するように構成してある。（例えば、特許文献１参照）。
【０００３】
図４は上記特許文献１に記載された冷蔵庫を示し、１０１は冷蔵庫本体、１０２は冷蔵庫本体１０１の底部に設けたローラ、１０３は同高さ調節脚である。この高さ調節脚１０３は冷蔵庫本体１０１の底部に設けてある支持板１０４にねじ込んで取り付けてあり、図５に示す様に脚本体１０５の略中央部より突出させたボルト１０６を前記冷蔵庫本体底部の支持板１０４にねじ込み、そのねじ込み量によって高さを変えるようになっていた。
【先行技術文献】
【特許文献】
【０００４】
【特許文献１】特開２００８−６９９９９号公報
【発明の概要】
【発明が解決しようとする課題】
【０００５】
しかしながら、前記従来の高さ調節脚１０３の脚本体１０５は金属もしくは樹脂で形成してあり、冷蔵庫本体１０１が冷蔵庫本体１０１に積載してある圧縮機（図示せず）が運転ＯＮ、ＯＦＦした時に発生する振動を吸収することができず、場合によっては冷蔵庫本体１０１内の貯蔵物が振動して音が発生する、という課題があった。特に、冷蔵庫本体１０１の上後部に圧縮機を積載して下、部貯蔵室内の容積を増加させたタイプの冷蔵庫で発生しやすい傾向にあった。
【０００６】
本発明はこのような従来の課題を解決するもので、特に圧縮機運転ＯＮ、ＯＦＦ時に発生する振動を吸収して貯蔵物による振動音を低減し信頼性の高い冷蔵庫を提供することを目的としたものである。
【課題を解決するための手段】
【０００７】
前記従来の課題を解決するために本発明は、冷蔵庫本体底部の脚支持体に脚本体のボルトをねじ込んで取り付けた高さ調節脚を備え、上記高さ調節脚はその脚本体をゴム製樹脂で形成するとともに当該脚本体の床接触面側を摺動性良好なフィルムで覆った構成としてある。
【０００８】
これによって、圧縮機運転ＯＮ、ＯＦＦ時に発生する振動は脚本体の弾性力によって吸収されるとともに、脚本体の床接触面側に設けてある摺動性良好なフィルムによってゴム材料特有の移行による脚本体の床面への固着が防止でき、かつ、脚本体の滑り性も良好なものに維持できる。
【発明の効果】
【０００９】
本発明は、圧縮機運転ＯＮ、ＯＦＦ時に発生する振動が防止されるとともに、脚本体のゴム材料移行による脚本体の床面への固着が防止でき、かつ、脚本体の滑り性も良好なものに維持できて冷蔵庫本体をわずかに移動させたいときの移動はそのまま行えるようにな
り、信頼性および使い勝手も高い冷蔵庫となる。
【図面の簡単な説明】
【００１０】
【図１】本発明の実施の形態１における冷蔵庫の要部断面図
【図２】同冷蔵庫のローラと高さ調節脚の取り付け構成を示す拡大断面図
【図３】同冷蔵庫の高さ調節脚の斜視図
【図４】従来の冷蔵庫の概略断面図
【図５】同従来の冷蔵庫の高さ調節脚を示す斜視図
【発明を実施するための形態】
【００１１】
第１の発明は、内部に貯蔵室を有する冷蔵庫本体と、この冷蔵庫本体の底部に設けた脚支持体と、この脚支持体に脚本体のボルトをねじ込んで取り付けた高さ調節脚とを備え、上記高さ調節脚はその脚本体をゴム製樹脂で形成するとともに当該脚本体の床接触面側を摺動性良好なフィルムで覆った構成としてある。
【００１２】
これによって、圧縮機運転ＯＮ、ＯＦＦ時に発生する振動は脚本体の弾性力によって吸収されるとともに、脚本体の床接触面側に設けてある摺動性良好なフィルムによってゴム材料特有の移行による脚本体の床面への固着が防止できると同時に床面との滑り性を良好なものに維持できる。
【００１３】
第２の発明は、脚本体のゴム製樹脂はＥＰＤＭ、摺動性良好なフィルムはＰＥＴまたはナイロンで形成してあり、いずれも安価に入手できるところからコストアップを抑制することができる。
【００１４】
第３の発明は、脚本体のＥＰＤＭはその硬度を６５°〜７５°に設定してあり、振動吸収と冷蔵庫本体の荷重を受けとめる強度とを両立することができる。
【００１５】
第４の発明は、脚本体のフィルムは脚本体成形時に同時に一体化してあり、不用意に剥がれるようなことがないので長期間に亘ってその効果を発揮することができる。
【００１６】
第５の発明は、冷蔵庫本体がその上後部に圧縮機を積載して圧縮機上後部積載型となっており、圧縮機が冷蔵庫本体上部に積載されていて振動しやすくなっている冷蔵庫であっても、圧縮機運転ＯＮ、ＯＦＦ時に発生する振動を効果的に防止することができる。
【００１７】
以下、本発明の実施の形態について、図面を参照しながら説明する。なお、この実施の形態によって本発明が限定されるものではない。
【００１８】
（実施の形態１）
図１において、１は内部に貯蔵室２を有する冷蔵庫本体で、その底部に脚支持体３を設け、この脚支持体３に取り付けてあるカバー４で覆う本体両側部に冷蔵庫本体移動用のローラ５と高さ調節脚６が取り付けてある。なお、前記冷蔵庫本体１は図示しないものの、冷蔵庫本体１の下部貯蔵室内の容積を増加すべく圧縮機を冷蔵庫本体１の上後部に積載した圧縮機上後部積載型としてある。
【００１９】
図２は上記ローラ５と高さ調節脚６の取り付け構成を示し、脚支持体３の後部寄り部分にローラ５が枢支してあり、その手前部分に高さ調節脚６が取り付けてある。この高さ調節脚６は脚本体７と脚本体７の略中央部に下端を埋設して上向きに突設したボルト８を有し、脚支持体３にねじ込んで取り付けてある。
【００２０】
ここで、上記高さ調節脚６はその脚本体７をエチレンープロピレンージエンゴム（以下
、ＥＰＤＭと略称する）のような安価なゴム製樹脂材料で形成してあり、その硬度は６５°〜７５°好ましくは７０°としてある。そして、この脚本体７の床面９と接する面、すなわち床接触面側は、摺動性良好なフィルム、例えばポリエチレンテレフタレート（ＰＥＴ）またはナイロン等の安価に入手できるフィルム１０が一体に設けてある。このフィルム１０は脚本体１成形時に同時に一体化するようになっており、不用意に剥がれるようなことがないようにしてある。
【００２１】
上記構成において、この冷蔵庫は冷蔵庫本体１の底部に設けたローラ５により冷蔵庫本体１を所定位置まで移動させ、その後高さ調節脚６を回転させてボルト８のねじ込み量を減少させることによって、脚本体７の床接触面側を床面に接触させ、ローラ５に変わって高さ調節脚６で冷蔵庫本体１を支持することになる。
【００２２】
その際、上記脚本体７はゴム製樹脂材料で形成してあるから、圧縮機運転ＯＮ、ＯＦＦ時に発生する振動をこの脚本体７の弾性力で吸収することになる。したがって、圧縮機運転ＯＮ、ＯＦＦ時に振動が発生しても冷蔵庫本体１の貯蔵室２内に設けた貯蔵物がビビリ振動するようなことがなくなる。特に圧縮機が冷蔵庫本体１の上後部に積載してあるタイプであっても確実に振動を抑制することができ、効果的である。
【００２３】
また、冷蔵庫本体１を長期間移動せずそのままの位置で保持していても、脚本体７の床接触側面はフィルム１０で覆っているため、脚本体７を構成するゴム材料が床面に移行して固着してしまうようなこともなく、長期経過後であっても脚本体７をねじり回転させて床面から浮かせ冷蔵庫本体１を移動させることができるし、床面を移行ゴム材料で汚すようなこともなくなる。
【００２４】
また、上記フィルム１０は摺動性が良好なものであるから、冷蔵庫本体１をわずかに移動させたいような場合は、そのまま高さ調節脚６を回転させて床面から浮かせるようなことをせずそのまま冷蔵庫本体１に力を加えれば移動させることができ、使い勝手が向上する。また、フィルム１０の滑り性がよいことによって脚本体７の床面接触近くでの回転、すなわちボルト８のねじ込み作業がより軽くでき、脚本体７の床面への圧接力を強くして冷蔵庫本体１を強固に固定することが可能となる。
【００２５】
すなわち、上記ＥＰＤＭはエチレン−プロピレンゴム（ＥＰＭ）に比べ加硫しやすく、容易に高強度の製品を得ることができる、耐候性や耐熱性が優れている、などの利点があるものの、耐屈曲げ裂性が悪いなどの欠点があるが、床面９との接触面に滑り性のよいフィルム１０を設けてあるところから、脚本体７を床面９に接したまま移動させても、この脚本体７が裂けるようなことを防止してＥＰＤＭの良さを如何なく発揮させ冷蔵庫本体１を低振動状態で安定的に固定することができる。また、脚本体７は振動吸収と冷蔵庫本体１の荷重受けとめ実験を種々行った結果、その材料となるＥＰＤＭの硬度を６５°〜７５°に設定するのがよく、この範囲にすることによって振動吸収と冷蔵庫本体１の荷重を受けとめる強度とを最も効率よく両立することができる。
【産業上の利用可能性】
【００２６】
以上のように本発明の冷蔵庫は、圧縮機運転ＯＮ、ＯＦＦ時に発生する振動が防止されるとともに、脚本体のゴム材料移行による脚本体の床面への固着が防止でき、かつ、脚本体の滑り性も良好なものに維持できて冷蔵庫本体をわずかに移動させたいときの移動はそのまま行えるようになり、信頼性および使い勝手の高い冷蔵庫となる。
【符号の説明】
【００２７】
１  冷蔵庫本体
２  貯蔵室
３  脚支持体
４  カバー
５  ローラ
６  高さ調節脚
７  脚本体
８  ボルト
９  床面
１０  フィルム
【図１】
2013083409.tif 000003
【図２】
2013083409.tif 000004
【図３】
2013083409.tif 000005
【図４】
2013083409.tif 000006
【図５】
2013083409.tif 000007